【手続補正書】
【提出日】平成22年8月6日(2010.8.6)
【手続補正１】
【補正対象書類名】特許請求の範囲
【補正対象項目名】全文
【補正方法】変更
【補正の内容】
【特許請求の範囲】
【請求項１】
複数の画素を垂直方向と水平方向に配列して構成された撮像部と、
前記撮像部を備える撮像装置の縦横の向きを検出する検出手段と、
前記検出手段による検出結果に応じて、前記撮像部からの前記複数の画素に対する画素情報の読み出し方法を制御する第１の読み出し制御手段と、
前記第１の読み出し制御手段によって制御されて読み出された画素情報に基づいてＡＦ評価値を算出する算出手段と、
前記算出手段による算出結果に応じてフォーカスレンズを制御するフォーカス手段と、
を備えたことを特徴とする撮像装置。
【請求項２】
前記第１の読み出し制御手段は、
前記検出手段によって検出された向きが横向きである場合に、前記複数の画素に対する画素情報の読み出しを垂直成分については複数画素の加算読み出しするよう制御する第１の加算読み出し制御手段と、
前記検出手段によって検出された向きが縦向きである場合に、前記複数の画素に対する画素情報の読み出しを水平成分については複数画素の加算読み出しするよう制御する第２の加算読み出し制御手段と、
を含むことを特徴とする請求項１記載の撮像装置。
【請求項３】
前記第１の加算読み出し制御手段は更に、水平成分の画素情報は全画素読み出しするよう制御し、
前記第２の加算読み出し制御手段は更に、垂直成分の画素情報は全画素読み出しするよう制御する特徴とする請求項２記載の撮像装置。
【請求項４】
被写体の明るさが所定値以下であるか否かを判定する判定手段を更に備え、
前記第１の読み出し制御手段は、前記判定手段によって被写体の明るさが所定値以下であると判定された場合に、前記検出手段による検出結果に応じて、前記画素情報の読み出し方法を制御することを特徴とする請求項１乃至３の何れかに記載の撮像装置。
【請求項５】
複数の画素を垂直と水平方向に配列して構成された撮像部と、
前記撮像部にて撮像された画像の垂直方向と水平方向の各々のコントラストを検出するコントラスト検出手段と、
前記コントラスト検出手段による検出結果に応じて、前記撮像部からの前記複数の画素に対する画素情報の読み出し方法を制御する第２の読み出し制御手段と、
前記第２の読み出し制御手段によって読み出された画素情報に基づいてＡＦ評価値を算出する算出手段と、
前記算出手段による算出結果に応じてフォーカスレンズを制御するフォーカス手段と、
を備えたことを特徴とする撮像装置。
【請求項６】
前記第２の読み出し制御手段は、
前記コントラスト検出手段による検出結果、水平方向よりも垂直方向のコントラストが強い場合は水平成分の前記複数の画素に対する画素情報を加算読み出しするよう制御する第３の加算読み出し制御手段と、
前記コントラスト検出手段による検出結果、垂直方向よりも水平方向のコントラストが強い場合は垂直成分の前記複数の画素に対する画素情報を加算読み出しするよう制御する第４の加算読み出し制御手段と、
を含むことを特徴とする請求項５記載の撮像装置。
【請求項７】
前記第３の加算読み出し制御手段は更に、垂直成分の前記複数の画素に対する画素情報を全画素読み出しするよう制御し、
前記第４の加算読み出し制御手段は更に、水平成分の前記複数の画素に対する画素情報を全画素読み出しするよう制御することを特徴とする請求項６記載の撮像装置。
【請求項８】
被写体の明るさが所定値以下であるか否かを判定する判定手段を備え、
前記第２の読み出し制御手段は、前記判定手段によって被写体の明るさが所定値以下であると判定された場合に、前記コントラスト検出手段による検出結果に応じて前記画素情報の読み出し方法を制御することを特徴とする請求項５乃至７の何れかに記載の撮像装置。
【請求項９】
複数の画素を垂直と水平方向に配列して構成された撮像部を備える撮像装置の縦横の向きを検出する検出ステップと、
前記検出ステップにおける検出結果に応じて、前記撮像部からの前記複数の画素に対する画素情報の読み出し方法を制御する第１の読み出し制御ステップと、
前記第１の読み出し制御ステップにて制御されて読み出された画素情報に基づいてＡＦ評価値を算出する算出ステップと、
前記算出ステップでの算出結果に応じてフォーカスを制御する制御ステップと、
を含むことを特徴とするオートフォーカス方法。
【請求項１０】
複数の画素を垂直と水平方向に配列して構成された撮像部により撮像された画像から垂直方向と水平方向の各々のコントラストを検出する検出ステップと、
前記検出ステップでの検出結果に応じて、前記撮像部からの前記複数の画素に対する画素情報の読み出し方法を制御する第２の読み出し制御ステップと、
前記第２の読み出し制御ステップにて読み出された画素情報に基づいてＡＦ評価値を算出する算出ステップと、
前記算出ステップでの算出結果に応じてフォーカスを制御する制御ステップと、
を含むことを特徴とするオートフォーカス方法。
【請求項１１】
複数の画素を垂直と水平方向に配列して構成された撮像部を有する撮像装置のコンピュータを、
前記撮像部を備える撮像装置の縦横の向きを検出する検出手段、
前記検出手段による検出結果に応じて、前記撮像部からの前記複数の画素に対する画素情報の読み出し方法を制御する第１の読み出し制御手段、
前記第１の読み出し制御手段によって制御されて読み出された画素情報に基づいてＡＦ評価値を算出する算出手段、
前記算出手段による算出結果に応じてフォーカスレンズを制御するフォーカス手段、
として機能させることを特徴とするプログラム。
【請求項１２】
複数の画素を垂直と水平方向に配列して構成された撮像部を有する撮像装置のコンピュータを、
前記撮像部にて撮像された画像の垂直方向と水平方向の各々のコントラストを検出するコントラスト検出手段、
前記コントラスト検出手段による検出結果に応じて、前記撮像部からの前記複数の画素に対する画素情報の読み出し方法を制御する第２の読み出し制御手段、
前記第２の読み出し制御手段によって読み出された画素情報に基づいてＡＦ評価値を算出する算出手段、
前記算出手段による算出結果に応じてフォーカスレンズを制御するフォーカス手段、
として機能させることを特徴とするプログラム。
【手続補正２】
【補正対象書類名】明細書
【補正対象項目名】００１５
【補正方法】変更
【補正の内容】
【００１５】
請求項１記載の発明は、複数の画素を垂直方向と水平方向に配列して構成された撮像部と、前記撮像部を備える撮像装置の縦横の向きを検出する検出手段と、前記検出手段による検出結果に応じて、前記撮像部からの前記複数の画素に対する画素情報の読み出し方法を制御する第１の読み出し制御手段と、前記第１の読み出し制御手段によって制御されて読み出された画素情報に基づいてＡＦ評価値を算出する算出手段と、前記算出手段による算出結果に応じてフォーカスレンズを制御するフォーカス手段と、を備えたことを特徴とする撮像装置である。
請求項２記載の発明は、前記第１の読み出し制御手段は、前記検出手段によって検出された向きが横向きである場合に、前記複数の画素に対する画素情報の読み出しを垂直成分については複数画素の加算読み出しするよう制御する第１の加算読み出し制御手段と、前記検出手段によって検出された向きが縦向きである場合に、前記複数の画素に対する画素情報の読み出しを水平成分については複数画素の加算読み出しするよう制御する第２の加算読み出し制御手段と、を含むことを特徴とする請求項１記載の撮像装置である。
請求項３記載の発明は、前記第１の加算読み出し制御手段は更に、水平成分の画素情報は全画素読み出しするよう制御し、前記第２の加算読み出し制御手段は更に、垂直成分の画素情報は全画素読み出しするよう制御する特徴とする請求項２記載の撮像装置である。
請求項４記載の発明は、被写体の明るさが所定値以下であるか否かを判定する判定手段を更に備え、前記第１の読み出し制御手段は、前記判定手段によって被写体の明るさが所定値以下であると判定された場合に、前記検出手段による検出結果に応じて、前記画素情報の読み出し方法を制御することを特徴とする請求項１乃至３の何れかに記載の撮像装置である。
請求項５記載の発明は、複数の画素を垂直と水平方向に配列して構成された撮像部と、前記撮像部にて撮像された画像の垂直方向と水平方向の各々のコントラストを検出するコントラスト検出手段と、前記コントラスト検出手段による検出結果に応じて、前記撮像部からの前記複数の画素に対する画素情報の読み出し方法を制御する第２の読み出し制御手段と、前記第２の読み出し制御手段によって読み出された画素情報に基づいてＡＦ評価値を算出する算出手段と、前記算出手段による算出結果に応じてフォーカスレンズを制御するフォーカス手段と、を備えたことを特徴とする撮像装置である。
請求項６記載の発明は、前記第２の読み出し制御手段は、前記コントラスト検出手段による検出結果、水平方向よりも垂直方向のコントラストが強い場合は水平成分の前記複数の画素に対する画素情報を加算読み出しするよう制御する第３の加算読み出し制御手段と、前記コントラスト検出手段による検出結果、垂直方向よりも水平方向のコントラストが強い場合は垂直成分の前記複数の画素に対する画素情報を加算読み出しするよう制御する第４の加算読み出し制御手段と、を含むことを特徴とする請求項５記載の撮像装置である。
請求項７記載の発明は、前記第３の加算読み出し制御手段は更に、垂直成分の前記複数の画素に対する画素情報を全画素読み出しするよう制御し、前記第４の加算読み出し制御手段は更に、水平成分の前記複数の画素に対する画素情報を全画素読み出しするよう制御することを特徴とする請求項６記載の撮像装置である。
請求項８記載の発明は、被写体の明るさが所定値以下であるか否かを判定する判定手段を備え、前記第２の読み出し制御手段は、前記判定手段によって被写体の明るさが所定値以下であると判定された場合に、前記コントラスト検出手段による検出結果に応じて前記画素情報の読み出し方法を制御することを特徴とする請求項５乃至７の何れかに記載の撮像装置である。
請求項９記載の発明は、複数の画素を垂直と水平方向に配列して構成された撮像部を備える撮像装置の縦横の向きを検出する検出ステップと、前記検出ステップにおける検出結果に応じて、前記撮像部からの前記複数の画素に対する画素情報の読み出し方法を制御する第１の読み出し制御ステップと、前記第１の読み出し制御ステップにて制御されて読み出された画素情報に基づいてＡＦ評価値を算出する算出ステップと、前記算出ステップでの算出結果に応じてフォーカスを制御する制御ステップと、を含むことを特徴とするオートフォーカス方法である。
請求項１０記載の発明は、複数の画素を垂直と水平方向に配列して構成された撮像部により撮像された画像から垂直方向と水平方向の各々のコントラストを検出する検出ステップと、前記検出ステップでの検出結果に応じて、前記撮像部からの前記複数の画素に対する画素情報の読み出し方法を制御する第２の読み出し制御ステップと、前記第２の読み出し制御ステップにて読み出された画素情報に基づいてＡＦ評価値を算出する算出ステップと、前記算出ステップでの算出結果に応じてフォーカスを制御する制御ステップと、を含むことを特徴とするオートフォーカス方法である。
請求項１１記載の発明は、複数の画素を垂直と水平方向に配列して構成された撮像部を有する撮像装置のコンピュータを、前記撮像部を備える撮像装置の縦横の向きを検出する検出手段、前記検出手段による検出結果に応じて、前記撮像部からの前記複数の画素に対する画素情報の読み出し方法を制御する第１の読み出し制御手段、前記第１の読み出し制御手段によって制御されて読み出された画素情報に基づいてＡＦ評価値を算出する算出手段、前記算出手段による算出結果に応じてフォーカスレンズを制御するフォーカス手段、として機能させることを特徴とするプログラムである。
請求項１２記載の発明は、複数の画素を垂直と水平方向に配列して構成された撮像部を有する撮像装置のコンピュータを、前記撮像部にて撮像された画像の垂直方向と水平方向の各々のコントラストを検出するコントラスト検出手段、前記コントラスト検出手段による検出結果に応じて、前記撮像部からの前記複数の画素に対する画素情報の読み出し方法を制御する第２の読み出し制御手段、前記第２の読み出し制御手段によって読み出された画素情報に基づいてＡＦ評価値を算出する算出手段、前記算出手段による算出結果に応じてフォーカスレンズを制御するフォーカス手段、として機能させることを特徴とするプログラムである。